(57)【要約】【課題】  簡易な構成で意匠性および安全性の向上に寄与する灯具を提供する。【解決手段】  主光源２２と、導光板３５と、導光板３５の一方の面Ｆ１に向けて光を出射する副光源３２と、を備え、導光板３５は、一方の面Ｆ１または他方の面Ｆ２の少なくとも一方に、互いに並列された複数の柱状レンズ３６を有し、主光源２２からの光の光度は、副光源３２からの光の光度よりも高く、副光源３２から出射して導光板３５を透過する光の輝度の方は、主光源２２から出射して導光板３５を透過する光の輝度よりも高いことを特徴とする。【選択図】  図２
2017188360.tif 000002
【特許請求の範囲】
【請求項１】
主光源と、導光板と、前記導光板の一方の面に向けて光を出射する副光源と、を備え、
前記導光板は、前記一方の面または他方の面の少なくとも一方に、互いに並列された複数の柱状レンズを有し、
前記主光源からの光の光度は、前記副光源からの光の光度よりも高く、
前記副光源から出射して前記導光板を透過する光の輝度は、前記主光源から出射して前記導光板を透過する光の輝度よりも高い
ことを特徴とする灯具。
【請求項２】
前記導光板が湾曲している
ことを特徴とする請求項１に記載の灯具。
【請求項３】
前記主光源と前記副光源とが１つの灯室内に互いに隣り合うように配置される
ことを特徴とする請求項１または２に記載の灯具。
【請求項４】
前記柱状レンズが延在する方向に沿って、複数の前記副光源が互いに離間して設けられる
ことを特徴とする請求項１から３のいずれか１項に記載の灯具。
【請求項５】
前記柱状レンズは水平方向に延在する
ことを特徴とする請求項１から４のいずれか１項に記載の灯具。
【発明の詳細な説明】
【技術分野】
【０００１】
本発明は、導光板を備える灯具に関する。
【背景技術】
【０００２】
灯具は、その用途によって意匠性や安全性の向上に寄与することを要求される場合がある。例えば、車両の外側に設けられる灯具は、車両の外観の一部を構成するため、意匠性が重要視される。また、車両の外側に設けられる灯具は、車両の外側にいる人に対して車両の存在を知らせたり車両の挙動を予測させたりすることによって、安全性の向上に寄与する。
【０００３】
上記のような車両用灯具として、例えば、下記特許文献１には、前照灯用光源からの光が入射する入射面、及び入射光を灯具前方に出射する出射面を有する前照灯用透光部材を備える前照灯ユニットと、標識灯用光源からの光が入射する入射面、及び入射光を灯具前方に出射する出射面を有する標識灯用透光部材を備える標識灯ユニットと、を備える車両用灯具が開示されている。この車両用灯具の前照灯用透光部材及び標識灯用透光部材の各出射面は、灯具前方から見て周縁の少なくとも一部に直線部を有し、前照灯ユニット及び標識灯ユニットは、隣り合うユニットの透光部材の直線部が互いに平行に延在し、且つ当接又は近接するようにして配列される。この車両用灯具によれば、形状のバリエーションを増やすことができる。また、この車両用灯具は、標識灯用透光部材の出射面を変位させて車両の状態を表示する変位制御部をさらに備えることによって、車両用灯具を搭載する車両の安全性を向上させることができる。
【先行技術文献】
【特許文献】
【０００４】
【特許文献１】特開２０１４−１５４２１９号公報
【発明の概要】
【発明が解決しようとする課題】
【０００５】
しかし、上記特許文献１に記載の車両用灯具は、構造が複雑で部品点数が多く、製造コストが嵩む傾向にある。
【０００６】
そこで、本発明は、簡易な構成で意匠性および安全性の向上に寄与する灯具を提供しようとするものである。
【課題を解決するための手段】
【０００７】
上記課題を解決するため、本発明の灯具は、主光源と、導光板と、前記導光板の一方の面に向けて光を出射する副光源と、を備え、前記導光板は、前記一方の面または他方の面の少なくとも一方に、互いに並列された複数の柱状レンズを有し、前記主光源からの光の光度は、前記副光源からの光の光度よりも高く、前記副光源から出射して前記導光板を透過する光の輝度は、前記主光源から出射して前記導光板を透過する光の輝度よりも高いことを特徴とする。
【０００８】
本発明の灯具では、副光源からの光は、互いに並列された複数の柱状レンズを有する導光板を透過する。このとき、副光源からの光は、複数の柱状レンズの並列方向に沿って一次元方向に拡大されて導光板から出射される。すなわち、副光源から出射して導光板を透過する光は、複数の柱状レンズの並列方向に沿った線状の光となる。ここで、観察者の視線の方向が変化すると、観察者の視点、導光板、及び副光源の相対的位置が変わり、導光板から出射する光の位置が変化して見える。そのため、観察者の視線の方向の変化に応じて、上記線状の光が動いたように見せることができる。人は動くものに目を引かれやすいため、人は上記のように動く線状の光に目を引かれやすい。また、本発明の灯具では、主光源も備えることによって、副光源からの線状の光が主光源からの光に対して相対的に動くため、この線状の光の動きがより認識されやすくなる。また、本発明の灯具では、観察者側において主光源からの光の光度が副光源からの光の光度よりも高いことにより、主光源に灯具として必要な機能を担わせ、副光源には上記のような装飾的機能を担わせることができる。また、副光源から出射して導光板を透過する光の輝度が主光源から出射して導光板を透過する光の輝度よりも高いことにより、副光源からの上記線状の光が主光源からの光によって見えなくされることが抑制される。このような本発明の灯具が車両に用いられる場合、車両の外にいる人は、車両が動くと副光源からの線状の光が動いて見える。従って、車両の外にいる人は車両が動いていることを認識しやすくなり、本発明の灯具は安全性の向上に寄与する。また、上記のように線状の光が動いて見えることによって、本発明の灯具は意匠性の向上にも寄与する。さらに、本発明の灯具は、複雑な電子制御等がなくとも上記効果を奏することがきるため、簡易な構成で意匠性および安全性の向上に寄与することができる。
【０００９】
また、本発明の灯具において、導光板は湾曲していることが好ましい。
【００１０】
導光板を湾曲させることによって、上記線状の光を曲線状の光とすることができる。このような湾曲している導光板が用いられることによって、灯具のデザインの選択の幅が広がり、灯具の意匠性をより向上させることができる。
【００１１】
また、本発明の灯具において、主光源と副光源とが１つの灯室内に互いに隣り合うように配置されることが好ましい。
【００１２】
主光源と副光源とが１つの灯室内に互いに隣り合うように配置されることによって、主光源からの光と副光源からの光とが同時に観察されやすくなるため、上述したような主光源からの光に対する副光源からの線状の光の動きが認識されやすくなる。従って、上記灯具は、意匠性および安全性の向上により寄与しやすくなる。
【００１３】
また、本発明の灯具において、前記柱状レンズが延在する方向に沿って、複数の前記副光源が互いに離間して設けられることが好ましい。
【００１４】
柱状レンズが延在する方向に沿って複数の副光源が互いに離間して設けられることによって、互いに離間した複数の線状の光を導光板から出射させることができ、これら複数の線状の光が上述したように動いたように見せることができる。従って、線状の光の動きがより認識されやすくなり、上記灯具は、意匠性および安全性の向上により寄与しやすくなる。
【００１５】
また、本発明の灯具において、前記柱状レンズは水平方向に延在することが好ましい。
【００１６】
柱状レンズが水平方向に延在することによって、観察者の視線が水平方向に移動したときに、副光源から導光板を透過して観察される線状の光が動いたように見えやすくなる。ここで、走行時の車両について考えると、車両と車両の外側にいる人との相対的位置は、多くの場合、水平方向成分が大きい方向に変化する。従って、このような灯具を車両に用いる場合、車両が動くと車両の外にいる人は上記線状の光が動いていると認識しやすいため、上記灯具は意匠性および安全性の向上により寄与しやすくなる。
【発明の効果】
【００１７】
以上のように、本発明によれば、簡易な構成で意匠性および安全性の向上に寄与する灯具が提供される。
【図面の簡単な説明】
【００１８】
【図１】本発明の実施形態に係る灯具の水平断面を概略的に示す図である。
【図２】図１に示す灯具の一部を概略的に示す正面図である。
【図３】図２に示すＩＩＩ−ＩＩＩ線での鉛直断面を概略的に示す図である。
【図４】図１に示す導光板を概略的に示す斜視図である。
【図５】本発明の他の実施形態に係る灯具の水平断面を概略的に示す図である。
【発明を実施するための形態】
【００１９】
以下、本発明に係る灯具の好適な実施形態について図面を参照しながら詳細に説明する。
【００２０】
図１は、本発明の実施形態に係る灯具の水平断面を概略的に示す図である。図２は、図１に示す灯具の一部を概略的に示す正面図である。図３は、図２に示すＩＩＩ−ＩＩＩ線に沿った鉛直断面を概略的に示す図である。なお、図１から図３および以下に示す他の全ての図は、理解のしやすさのため、寸法を正確に示すものではない。また、以下の説明において、灯具から光が出射される方向を前方という場合があり、その反対方向を後方という場合がある。
【００２１】
図１には、本発明の実施形態に係る灯具１０が車両用灯具として用いられる例が示されている。ただし、図１には、前方が開放されたランプボディ１２と、ランプボディ１２の前方を覆う透明なアウターカバー１４と、ランプボディ１２およびアウターカバー１４で形成される灯室ＬＲ内に配置される主配光部２０および副配光部３０と、の主要な部材のみが示されており、その他の構成部材は省略されている。図２には、主配光部２０および副配光部３０の主要な部材のみが示されており、その他の構成部材は省略されている。図３には、副配光部３０の主要な部材のみが示されており、その他の構成部材は省略されている。
【００２２】
主配光部２０は、主光源２２と透光レンズ２５とを主な構成要素として備える。
【００２３】
主光源２２は、ＬＥＤ（発光ダイオード）等の発光素子２３と、発光素子２３を制御する回路が搭載される基板２４と、を有する。主光源２２から出射する光の光度は、副光源３２から出射する光の光度より高く、観察者側において、主光源２２からの光の光度は、副光源３２からの光の光度よりも高い。また、主光源２２は、発光素子２３に印加する電流を切り替える等して発光素子２３の発光強度を変化させられるように構成されている。例えば、発光素子２３は、低光度で発光するときにはテールランプとして機能し、高光度で発光するときにはストップランプとして機能する。そして、発光素子２３から出射する光は透光レンズ２５に入射する。また、主光源２２は、ランプボディ１２に固定されたベース部材３７に基板２４が固定されることによって、位置が固定される。
【００２４】
透光レンズ２５は、概ね椀状に形成されており、椀の底部に当たる底面部２６と椀の側面に当たる側面部２７とを有する。底面部２６は、主光源２２側となる後方の面が平らでその反対側である前方の面が凸面の平凸レンズ状の部位である。側面部２７は、底面部２６の外縁から前方に向かって広がりながら延在している。また、側面部２７の内周面からは、前方に突出する環状の環状レンズ部２８が形成されている。なお、図示していないが、透光レンズ２５は、ベース部材３７に固定されている。
【００２５】
副配光部３０は、副光源３２と導光板３５とを主な構成要素として備える。
【００２６】
副光源３２は、主光源２２と互いに隣り合うようにして１つの灯室ＬＲ内に配置される。副光源３２は、ＬＥＤ（発光ダイオード）等の発光素子３３と、発光素子３３を制御する回路が搭載される基板３４と、を備える。副光源３２は、上記主光源２２と同様に、発光素子３３に印加する電流を切り替える等して発光素子３３の発光強度を変化させられるように構成されても良い。例えば、発光素子３３は、発光素子２３が低光度で発光するときには低光度で発光し、発光素子２３が高光度で発光するときには高光度で発光するように構成されても良く、発光素子２３が低光度で発光するときには消灯し、発光素子２３が高光度で発光するときには発光するように構成されても良い。副光源３２からの光は、導光板３５の後方側の面である一方の面Ｆ１に入射する。また、副光源３２は、ランプボディ１２に固定されたベース部材３７に基板３４が固定されることによって、位置が固定される。
【００２７】
導光板３５は、副光源３２側の一方の面Ｆ１に、互いに並列された複数の柱状レンズ３６を有する。柱状レンズ３６の長手方向に垂直な断面形状は半円であり、導光板３５はレンチキュラーレンズである。また、柱状レンズ３６は水平方向に延在しており、柱状レンズ３６の長手方向に直交する方向に複数の柱状レンズ３６が並列されている。また、導光板３５は、複数の柱状レンズ３６の並列方向が弧となるように湾曲している。さらに、導光板３５は、主光源２２側の端部よりもその反対側の端部が前方に傾くように配置されており、主光源２２から光が導光板３５の後方の面Ｆ１に入射することが抑制されている。なお、図示していないが、導光板３５は、ベース部材３７に固定されている。
【００２８】
以上説明した灯具１０における光路例について図１から図３を参照しつつ以下に説明する。図１には、主光源２２および副光源３２からの光の光路例を一点鎖線矢印で示し、図２には、副光源３２からの光が出射される範囲ＬＬ１を一点鎖線で囲って示し、図３には、副光源３２からの光の光路例を一点鎖線矢印で示している。ただし、これらの光路例や光の出射位置は概念的に示すものであり、入射角、反射角および屈折角等を正確に示すものではない。
【００２９】
主光源２２から出射される光は透光レンズ２５に入射し、入射角が小さな光は底面部２６を透過して前方に出射され、入射角が大きな光は側面部２７の外周面と空気との界面において反射され、環状レンズ部２８または側面部２７の端部２９から前方に出射される。従って、主光源２２から出射される光は、透光レンズ２５から同心円状の光となって出射される。なお、主光源２２から出射される光のうち一部は副光源３２側に漏れて導光板３５に入射する場合がある。ただし、主光源２２から出射して導光板３５を透過する光の輝度は、副光源３２から出射して導光板３５を透過する光の輝度より低く、主光源２２からの光は導光板３５に入射しないことが好ましい。
【００３０】
副光源３２から導光板３５の一方の面Ｆ１に向けて出射される光は、導光板３５を透過して導光板３５の観察者側の面である他方の面Ｆ２から前方に出射する。このとき、副光源３２からの光は、複数の柱状レンズ３６の並列方向に沿って一次元方向に拡大されて導光板３５から出射される。すなわち、副光源３２から出射して導光板３５を透過する光は、光が出射される範囲ＬＬ１として図２に示されるように、柱状レンズ３６の並列方向に沿った線状の光となる。一方、主光源２２からの光は導光板３５に殆ど又は全く入射しないため、副光源３２から出射して導光板３５を透過する光の輝度は、主光源２２から出射して導光板３５を透過する光の輝度よりも高い。従って、副光源３２からの上記線状の光が主光源２２からの光によって見えなくされることが抑制される。
【００３１】
副光源３２から導光板３５を透過して出射される上記線状の光は、実際には導光板３５の観察者側の面Ｆ２において観察されるが、以下に説明するように、実際に発光している部分よりも後方において発光しているように見せることができる。すなわち、図３に示すように、副光源３２から出射されて導光板３５のある地点Ａに入射する光は、副光源３２から地点Ａまでの距離と等距離分だけ後方の地点Ａ’において発光しているように見せることができる。同様に、副光源３２から出射されて導光板３５のある地点Ｂに入射する光は、副光源３２から地点Ｂまでの距離と等距離分だけ後方の地点Ｂ’において発光しているように見せることができ、副光源３２から出射されて導光板３５のある地点Ｃに入射する光は、副光源３２から地点Ｃまでの距離と等距離分だけ後方の地点Ｃ’において発光しているように見せることができる。このように、実際には導光板３５の副光源３２側の面Ｆ１に入射して観察者側の面Ｆ２から前方に出射する光が、導光板３５よりも後方の地点Ａ’、Ｂ’、Ｃ’を結ぶ線ＬＬ２上で発光しているように見せることができる。
【００３２】
ここで、観察者の視線の方向が変化すると、観察者の視点、導光板、及び副光源の相対的位置が変わり、導光板３５から出射する光の位置が変化して見える。そのため、観察者の視線の方向の変化に応じて、上記線状の光が動いたように見せることができる。例えば、観察者の視線が柱状レンズ３６の長手方向に動くとき、副光源３２からの光が出射される範囲ＬＬ１は、図２に矢印で示されるように、柱状レンズ３６の長手方向に動くように見える。人は、動くものに目を引かれやすいことから、上記のように動く線状の光に目を引かれやすい。また、灯具１０では、主光源２２も備えることによって、副光源３２からの線状の光が主光源２２からの光に対して相対的に動くため、この線状の光の動きがより認識されやすくなる。また、灯具１０では、主光源２２からの光の光度が副光源３２からの光の光度より高いことにより、主光源２２に灯具として必要な機能を担わせ、副光源３２には上記のような装飾的な機能を担わせることができる。
【００３３】
このような灯具１０が車両に用いられることによって、車両の外にいる人は、車両が動くと副光源３２からの線状の光が動いて見える。従って、車両の外にいる人は車両が動いていることを認識しやすくなり、灯具１０は安全性の向上に寄与する。また、上記のように線状の光が動いて見えることによって、灯具１０は意匠性の向上にも寄与する。さらに、灯具１０は、複雑な電子制御等がなくとも上記効果を奏することがきるため、簡易な構成で意匠性および安全性の向上に寄与することができる。
【００３４】
また、灯具１０では、主光源２２と副光源３２とが１つの灯室ＬＲ内に互いに隣り合うように配置されることによって、主光源２２からの光と副光源３２からの光とが同時に観察されやすくなるため、上述したような線状の光の動きが認識されやすくなる。従って、灯具１０は、意匠性および安全性の向上により寄与しやすくなる。
【００３５】
また、灯具１０では、柱状レンズ３６が水平方向に延在することによって、観察者の視線が水平方向に移動したとき、副光源３２から導光板３５を透過して観察される線状の光は、図２に矢印で示されるように、水平方向に動いたように見える。ここで、走行時の車両について考えると、車両と車両の外側にいる人との相対的位置は、多くの場合、水平方向成分が大きい方向に変化する。従って、灯具１０を車両に用いる場合、車両が動くと車両の外にいる人は上記線状の光が動いていることを認識しやすいため、灯具１０は意匠性および安全性の向上により寄与しやすくなる。
【００３６】
また、導光板３５は湾曲していることから、上記線状の光は導光板３５の湾曲面に沿った曲線状の光となる。図４は、導光板３５を概略的に示す斜視図である。図４に示されるように、副光源３２からの光は、導光板３５の観察者側の面Ｆ２において曲線状に延在する範囲ＬＬ１から前方に出射する。導光板３５に対する斜視角度が大きくなれば、副光源３２からの光は、更に曲率が大きな曲線状の光として観察される。このような湾曲している導光板３５が用いられることによって、灯具１０のデザインの選択の幅が広がり、灯具１０の意匠性をより向上させることができる。
【００３７】
上記のような線状の光を導光板３５から出射させ易くする観点から、複数の柱状レンズ３６が並列されるピッチは、０．２ｍｍ以上０．５ｍｍ以下程度であることが好ましい。また、上記のように線状の光が動いて見えるようにしやすくする観点からは、副光源３２と導光板３５との距離は、１ｍｍ以上１００ｍｍ以下程度とすることが好ましい。特に、副光源３２と導光板３５との距離を１０ｍｍ以上５０ｍｍ以下程度とすることによって、観察者が移動せずに顔を動かす程度の視線の変化でも、上記線状の光の動きを認識しやすくなる。
【００３８】
以上、本発明について好適な実施形態を例に説明したが、本発明はこれに限定されるものではない。
【００３９】
例えば、上記実施形態では副光源３２が１つだけ備えられる形態を例示して説明したが、副光源３２の数は特に限定されない。図５は、本発明の他の実施形態に係る灯具１１０の水平断面を概略的に示す図である。図５において、図１に示す灯具１０と同様の構成のものには、同じ参照符号が付されている。また、図５には、図１と同様に主光源２２および副光源３２，３２ａ，３２ｂからの光の光路例を一点鎖線矢印で示している。
【００４０】
図５に示す灯具１１０は、副配光部３０にかえて、副光源を複数有する副配光部１３０が備えられる点、及び副配光部１３０に合わせてベース部材１３７の形状がベース部材３７とは異なる点で、灯具１０と異なる。副配光部１３０は副光源３２，３２ａ，３２ｂを有する。副光源３２ａ，３２ｂは、発光素子３３を複数有する点で、副光源３２と異なる。副光源が有する発光素子３３の数は特に限定されず、図５には、副光源３２が発光素子３３を１つ、副光源３２ａが発光素子３３を２つ、副光源３２ｂが発光素子３３を３つ有する形態を例示している。また、副光源３２，３２ａ，３２ｂのうち互いに隣り合う副光源の基板３４は、フレキシブルプリント基板３８によって電気的に接続されている。ただし、副光源３２，３２ａ，３２ｂへの給電方法はこれに限定されず、それぞれの基板３４にハーネスケーブルを接続して給電することもできる。
【００４１】
このように複数の副光源３２，３２ａ，３２ｂが備えられることによって、複数の線状の光を導光板３５から出射させることができる。副光源３２，３２ａ，３２ｂが複数備えられる場合、これら複数の副光源３２，３２ａ，３２ｂは、柱状レンズ３６が延在する方向に沿って互いに離間して設けられることが好ましい。柱状レンズ３６が延在する方向に沿って複数の副光源３２，３２ａ，３２ｂが互いに離間して設けられることによって、互いに離間した複数の線状の光を導光板３５から出射させることができ、これらの複数の線状の光を上述したように動いたように見せることができる。従って、線状の光の動きがより認識されやすくなり、灯具１１０は、意匠性および安全性の向上により寄与しやすくなる。
【００４２】
副光源３２，３２ａ，３２ｂのそれぞれの基板３４は、ランプボディ１２に固定されたベース部材１３７に固定されており、副光源３２，３２ａ，３２ｂの位置が固定されている。また、ベース部材１３７は導光板３５の設置角度に合わせた段差を有しており、それぞれの副光源３２，３２ａ，３２ｂと導光板３５との距離の差が小さくなるように、副光源３２，３２ａ，３２ｂが配置されている。
【００４３】
なお、上記のように発光素子３３が複数備えられる場合、ＬＥＤの直径が約２ｍｍ〜３ｍｍ程度であることを考えると、発光素子３３にＬＥＤを用いる場合は、互いに隣り合う発光素子３３同士の間隔は２ｍｍ〜３ｍｍ程度にすることが好ましい。互いに隣り合う発光素子３３同士の間隔がこのように適切に設定されることによって、導光板３５から出射される複数の線状の光のうち互いに隣り合う線状の光の間隔を適切な間隔とし、線状の光の動きを認識しやすくすることができる。
【００４４】
また、上記実施形態では、複数の柱状レンズ３６が水平方向に延在する例を挙げて説明したが、本発明において複数の柱状レンズ３６が延在する方向は特に限定されない。柱状レンズ３６が延在する方向は、いずれの方向でも良く、直線状でなくても良い。
【００４５】
また、上記実施形態では、柱状レンズ３６の長手方向断面は半円である例を挙げて説明したが、本発明において柱状レンズ３６の形状は、副光源３２からの光を上述したように複数の柱状レンズの並列方向に伸ばして出射できる限りにおいて、特に限定されない。
【００４６】
また、上記実施形態では、複数の柱状レンズ３６の導光板３５のうち副光源３２側の面に形成される例を挙げて説明したが、本発明において複数の柱状レンズ３６は、観察者側の面に形成されても良く、両面に形成されてもよい。
【００４７】
また、上記実施形態では、導光板３５が湾曲している例を挙げて説明したが、本発明において導光板３５は湾曲していなくても良い。また、副光源３２が複数備えられる場合、導光板３５は副光源３２の数や設置位置に合わせて複数備えられても良い。
【００４８】
また、上記実施形態では、主配光部２０が主光源２２と透光レンズ２５とを有する例を挙げて説明したが、本発明において主配光部の形態は、主配光部が有する主光源からの光の光度が副光源からの光の光度よりも高く、副光源から出射して導光板を透過する光の輝度が主光源から出射して導光板を透過する光の輝度よりも高い限りにおいて、特に限定されない。従って、上記実施形態では、テールランプとして機能する主配光部２０と副配光部３０とが組み合わせらえる場合を例示したが、主配光部の形態はこれに限定されない。例えば、副配光部３０は、車幅灯、方向指示器、昼間点灯（DRL：Daytime Running Lamps）等に用いられても良く、車両用以外の灯具に用いられても良い。
【産業上の利用可能性】
【００４９】
本発明の灯具は、簡易な構成で意匠性および安全性の向上に寄与することができ、車両用灯具等に好適に利用される。
【符号の説明】
【００５０】
ＬＲ・・・灯室
１０，１１０・・・灯具
２０・・・主配光部
２２・・・主光源
２５・・・透光レンズ
３０，１３０・・・副配光部
３２，３２ａ，３２ｂ・・・副光源
３５・・・導光板
３７・・・ベース部材
３８・・・フレキシブルプリント基板
Ｆ１・・・導光板の一方の面
Ｆ２・・・導光板の他方の面
【図１】
2017188360.tif 000003
【図２】
2017188360.tif 000004
【図３】
2017188360.tif 000005
【図４】
2017188360.tif 000006
【図５】
2017188360.tif 000007